(57)【要約】      （修正有）【課題】歯科所見の記録に好適なユーザインタフェイスを備えた所見作成装置を提供する。【解決手段】所見作成装置１９は、入力音声信号に対し音声認識を行う音声認識部１９７と、音声認識の結果に基づく文字入力が許可された第一画面を表示中に、第一画面の表示中に文字入力の終了を表す所定信号を受け取ると、音声認識の結果に基づく文字入力が禁止された第二画面に、表示装置の表示を切り替える所見作成部１９９と、を備える。【選択図】図１
2018055274.tif 000002
【特許請求の範囲】
【請求項１】
発話内容を表す音声信号に対し、少なくとも大語彙連続音声認識を行う音声認識部と、
前記大語彙連続音声認識の結果に基づき、前記発話内容を表す文字の入力が許可された第一画面を表示中に、前記第一画面の表示中に文字入力の終了を表す所定信号を受け取ると、前記大語彙連続音声認識の結果に基づく文字入力が不能な第二画面に、表示装置の表示を切り替える所見作成部と、を備えた所見作成装置。
【請求項２】
前記所定信号は、予め定められた音声コマンドを表す音声信号である、請求項１に記載の所見作成装置。
【請求項３】
前記所見作成装置には、手指での操作に応答して操作信号を出力する操作入力機器が接続され、
前記所定信号は、前記第一画面上で所定操作がなされた時に操作入力機器から送出される操作信号である、請求項１に記載の所見作成装置。
【請求項４】
前記音声認識部はさらに、小語彙単語音声認識を行い、
前記第二画面には、前記小語彙単語音声認識の結果に基づく文字入力が許可されている、請求項１〜３のいずれかに記載の所見作成装置。
【請求項５】
前記第二画面は、歯牙列を表す歯牙列画像を含み、
前記歯牙列画像における各歯牙の表現は選択可能になっている、請求項１〜４のいずれかに記載の所見作成装置。
【請求項６】
前記第二画面は、歯牙列を表す歯牙列画像を含み、
前記歯牙列画像における各歯牙の状態は、特定色で表される、請求項１〜４のいずれかに記載の所見作成装置。
【請求項７】
大語彙連続音声認識の結果に基づき発話内容を表す文字の入力が許可された第一画面を表示装置に表示させる手順と、
前記第一画面の表示中に文字入力の終了を表す所定信号を受け取ると、前記大語彙連続音声認識の結果に基づく文字入力が禁止された第二画面に、前記表示装置の表示内容を切り替える手順と、を備えた所見作成方法。
【請求項８】
コンピュータに、
大語彙連続音声認識の結果に基づき発話内容を表す文字の入力が許可された第一画面を表示装置に表示させる手順と、
前記第一画面の表示中に文字入力の終了を表す所定信号を受け取ると、前記大語彙連続音声認識の結果に基づく文字入力が禁止された第二画面に、前記表示装置の表示内容を切り替える手順と、を備えた所見作成プログラム。
【請求項９】
コンピュータに、
大語彙連続音声認識の結果に基づき発話内容を表す文字の入力が許可された第一画面を表示装置に表示させる手順と、
前記第一画面の表示中に文字入力の終了を表す所定信号を受け取ると、前記大語彙連続音声認識の結果に基づく文字入力が禁止された第二画面に、前記表示装置の表示内容を切り替える手順と、を備えた所見作成プログラムを記録した記録媒体。
【発明の詳細な説明】
【技術分野】
【０００１】
本開示は、音声認識により、歯牙の状態または所見を入力可能な所見作成装置、所見作成方法、所見作成プログラム、およびそのプログラムを記録した記録媒体に関する。
【背景技術】
【０００２】
従来、この種の所見作成装置としては、例えば下記特許文献１に記載の歯科診断情報処理装置がある。この歯科診断情報処理装置は、歯科診断情報に関する音声を入力するための音声入力手段と、入力された音声信号を解析して、所定の歯科診断データを認識するための音声認識手段と、認識された歯科診断データを記憶するためのデータ記憶手段と、認識された歯科診断データを表示するためのデータ表示手段と、を備えている。
【先行技術文献】
【特許文献】
【０００３】
【特許文献１】特開平８−７１０９１号公報
【発明の概要】
【発明が解決しようとする課題】
【０００４】
本開示の目的は、操作者が使いやすいユーザインタフェイスを備えた所見作成装置、所見作成方法、所見作成プログラムおよびそのプログラムを記録した記録媒体を提供することである。
【課題を解決するための手段】
【０００５】
本開示の第一形態は、
発話内容を表す音声信号に対し、少なくとも大語彙連続音声認識を行う音声認識部と、
前記大語彙連続音声認識の結果に基づき、前記発話内容を表す文字の入力が許可された第一画面を表示中に、前記第一画面の表示中に文字入力の終了を表す所定信号を受け取ると、前記大語彙連続音声認識の結果に基づく文字入力が不能な第二画面に、表示装置の表示を切り替える所見作成部と、を備えた所見作成装置、
に向けられる。
【０００６】
本開示の第二形態は、
大語彙連続音声認識の結果に基づき発話内容を表す文字の入力が許可された第一画面を表示装置に表示させる手順と、
前記第一画面の表示中に文字入力の終了を表す所定信号を受け取ると、前記大語彙連続音声認識の結果に基づく文字入力が禁止された第二画面に、前記表示装置の表示内容を切り替える手順と、を備えた所見作成方法、
に向けられる。
【０００７】
本開示の第三形態は、
コンピュータに、
大語彙連続音声認識の結果に基づき発話内容を表す文字の入力が許可された第一画面を表示装置に表示させる手順と、
前記第一画面の表示中に文字入力の終了を表す所定信号を受け取ると、前記大語彙連続音声認識の結果に基づく文字入力が禁止された第二画面に、前記表示装置の表示内容を切り替える手順と、を備えた所見作成プログラム、
に向けられる。
【０００８】
本開示の第四形態は、
コンピュータに、
大語彙連続音声認識の結果に基づき発話内容を表す文字の入力が許可された第一画面を表示装置に表示させる手順と、
前記第一画面の表示中に文字入力の終了を表す所定信号を受け取ると、前記大語彙連続音声認識の結果に基づく文字入力が禁止された第二画面に、前記表示装置の表示内容を切り替える手順と、を備えた所見作成プログラムを記録した記録媒体、
に向けられる。
【発明の効果】
【０００９】
本開示によれば、操作者が使いやすいユーザインタフェイスを備えた所見作成装置、所見作成方法、所見作成プログラム、および、それを記録した記録媒体を提供することが出来る。
【図面の簡単な説明】
【００１０】
【図１】本開示の一実施形態に係る所見作成装置の構成を示す図
【図２Ａ】リスト画面を示す模式図
【図２Ｂ】所見作成画面を示す模式図
【図２Ｃ】状態入力画面を示す模式図
【図２Ｄ】顔貌写真画面、口腔内写真画面および義歯写真画面を示す模式図
【図２Ｅ】写真の編集画面を示す模式図
【図２Ｆ】ノート画面を示す模式図
【図２Ｇ】名前その他画像を示す模式図
【図３Ａ】設定変更画面を示す模式図
【図３Ｂ】編集画面を示す模式図
【図３Ｃ】選択画面を示す模式図
【図４Ａ】検索画面を示す模式図
【図５Ａ】出力画面を示す模式図
【図６Ａ】データ操作画面を示す模式図
【図６Ｂ】所見削除画面を示す模式図
【図６Ｃ】バックアップデータを作成する画面を示す模式図
【図６Ｄ】所見データを復元する画面を示す模式図
【図７Ａ】所見作成装置の処理を示すメインフロー図
【図７Ｂ】図７ＡにおけるステップＳ００９の詳細な処理手順を示す第一のフロー図
【図７Ｃ】図７ＡにおけるステップＳ００９の詳細な処理手順を示す第二のフロー図
【図７Ｄ】図７ＡにおけるステップＳ００９の詳細な処理手順を示す第三のフロー図
【図８Ａ】設定ボタンを操作者にクリックするよう促すＧＵＩを示す模式図
【図８Ｂ】歯牙特定の音声認識結果を受け取った時の表示画面の遷移を示す模式図
【図８Ｃ】状態入力欄に歯牙の状態が入力された時の表示画面を示す模式図
【図８Ｄ】歯牙の表現を設定時における表示画面を示す模式図
【図９Ａ】歯牙の読みを変更する場合の表示画面を示す模式図
【図９Ｂ】検査医師の名前を変更する場合の表示画面を示す模式図
【発明を実施するための形態】
【００１１】
以下、上記図面を参照して、本開示の一実施形態に係る所見作成装置１９を詳説する。
【００１２】
＜１．歯科所見作成システムの構成＞
図１において、歯科所見作成システム１は、警察署等に設置されて、例えば、災害時の身元確認等に使用される。この歯科所見作成システム１は他にも、歯科医院に設置されて、患者のデンタルチャート管理のために使用されうる。
【００１３】
上記歯科所見作成システム１は、大略的には、音声入力機器１１と、操作入力機器１３と、データ読取装置１５と、通信装置１７と、所見作成装置１９と、表示装置１１１と、音声出力装置１１３と、を備えている。なお、データ読取装置１５、所見作成装置１９、表示装置１１１および音声出力装置１１３は同一筐体に内蔵されても良い。
【００１４】
音声入力機器１１は、例えば、マイクを内蔵した有線または無線のヘッドセットまたは据え置き型のマイクロフォンであって、所見作成装置１９に有線または無線で接続される。
【００１５】
この音声入力機器１１は、操作者による入力音声を電気信号（以下、音声信号という）に変換し、所見作成装置１９に出力する。音声信号としては、各種音声コマンド（歯牙を特定する音声信号、歯牙の状態等を含む）を表す音声信号と、所見メモを表す音声信号が例示される。ここで、所見メモとは、音声コマンドではなく、歯科医師等の所見を表す相対的に長い文章である。
【００１６】
操作入力機器１３は、例えば、マウスおよびキーボードであって、所見作成装置１９に有線または無線で接続される。
【００１７】
操作入力機器１３は、操作者（例えば歯科医師）の手指による操作を、特定の電気信号（以下、操作信号という）に変換し、所見作成装置１９に出力する。
【００１８】
データ読取装置１５は、ディスクまたは半導体メモリ等の可搬型記録媒体に格納されたデータを読み出して、所見作成装置１９のワーキングメモリ１９３に転送する。
【００１９】
通信装置１７は、遠隔のサーバ等からデータを取得して、所見作成装置１９のワーキングメモリ１９３に転送する。
【００２０】
所見作成装置１９は、大略的には、各種コネクタや各種インタフェイス（図示せず）と、記憶装置１９１と、ワーキングメモリ１９３と、プロセッサ１９５と、を備えている。
【００２１】
記憶装置１９１は、例えば、ハードディスクドライブまたは半導体メモリであって、音声認識プログラムＰ１と、音声入力デンタルチャートプログラム（図示は、単に、デンタルチャートプログラム）Ｐ３と、各種辞書Ｄ１〜Ｄ１１と、を予め格納している。
【００２２】
音声認識プログラムＰ１は、大語彙連続音声認識プログラムＰ１１と、小語彙単語音声認識プログラムＰ１３と、から構成される。
【００２３】
大語彙連続音声認識プログラムＰ１１は、所謂ディクテーションによる音声認識を可能にすべく、音声入力機器１１から出力された音声信号に対し、音声コマンドに限定する事無く音声認識を実現するためのプログラムである。このような大語彙連続音声認識プログラムＰ１１の実行時、大語彙連続音声認識辞書Ｄ１が使用される。
【００２４】
それに対し、小語彙単語音声認識プログラムＰ１３は、大語彙連続音声認識プログラムＰ１とは異なり、音声コマンドに限定して、音声入力機器１１から出力された音声信号に対し、音声コマンドに限定して音声認識を実現するためのプログラムである。このような小語彙単語音声認識プログラムＰ１３の実行時、大語彙連続音声認識辞書Ｄ１を除く小語彙単語音声認識辞書Ｄ３〜Ｄ１１が使用される。小語彙単語音声認識辞書Ｄ３〜Ｄ１１の詳細を表１に示す。
【００２５】
【表１】
2018055274.tif 000003
【００２６】
上表１に記載の通り、小語彙単語音声認識辞書Ｄ３は、リスト画面Ｉ０１が表示装置１１１に表示されている間、このリスト画面Ｉ０１で使用可能な音声コマンドを定義する。他の小語彙単語音声認識辞書Ｄ５〜Ｄ１１は、対応する画面が表示装置１１１に表示中に使用可能な音声コマンドを定義している。
【００２７】
プロセッサ１９５は、ワーキングメモリ１９３を使いながら、両プログラムＰ１，Ｐ３を実行して、音声認識部１９７および所見作成部１９９として機能する。
【００２８】
具体的には、音声認識部１９７は、音声入力機器１１から出力された音声データを受け取る。音声認識部１９７は、受け取った音声信号に対し音声認識を行い、それによって得られた音声認識結果を、所見作成部１９９として機能するプロセッサ１９５に渡す。本開示では、後述の第一画面（即ち、図２Ｆのノート画面Ｉ１５）の表示時には、音声認識部１９７は、大語彙連続音声認識プログラムＰ１１および小語彙単語音声認識プログラムＰ１３を大語彙単語音声認識辞書Ｄ１および小語彙単語音声認識辞書Ｄ９を使いつつ実行して、受け取った音声信号に対して音声認識を行って、その結果を所見作成部１９９に渡す。それに対し、後述の第二画面（即ち、図２Ｂのデンタルチャート画面Ｉ０５図２Ｄの顔貌写真画面Ｉ０９、口腔内写真画面Ｉ１１および義歯写真画面Ｉ１３、ならびに、図２Ｇの名前その他画面Ｉ１７）の表示時には、小語彙単語音声認識プログラムＰ１３をそれ対応する小語彙単語音声認識辞書Ｄ３〜Ｄ７，Ｄ１１を使いつつ実行して、受け取った音声信号に対し音声認識処理を行って、その結果を所見作成部１９９に渡す。
【００２９】
所見作成部１９９は、音声認識部１９７の音声認識結果である音声コマンドや操作入力機器１３からの操作信号に基づき、所見データの作成、編集および出力等に関する各種画面を作成して、作成した画面を表示装置１１１に表示させる。また、所見作成部１９９は、ノート画面Ｉ１５を表示中、音声認識部１９７の音声認識結果である所見メモを表す文字をノート入力領域Ｒ１１に入力する。
【００３０】
なお、プロセッサ１９５は、音声認識部１９７および所見作成部１９９として機能する以外にも、様々な処理を行う。これらについては、後で適宜説明する。
【００３１】
表示装置１１１は、所見作成装置１９で生成された各種画面（詳細は後述）を表示する。
【００３２】
音声出力装置１１３は、所見作成装置１９で生成された音声信号を音声で出力する。
【００３３】
＜２．表示装置で表示される各種画面＞
次に、所見作成装置１９で表示される各種画面について詳説する。
＜２−１．リスト画面＞
まず、図２Ａを参照して、図１のデンタルチャートプログラムＰ３の起動後に表示されるリスト画面Ｉ０１について説明する。
図２Ａにおいて、リスト画面Ｉ０１は、新規作成ボタンＢ０１、設定変更ボタンＢ０３、検索ボタンＢ０５、出力ボタンＢ０７、データ操作ボタンＢ０９、終了ボタンＢ１１および所見リスト領域Ｒ０１から構成される。
【００３４】
各ボタンＢ０１〜Ｂ１１は、操作入力機器１３を構成するマウス等によりクリック可能なボタンである。各ボタンＢ０１〜Ｂ１１の機能は下表２の通りである。操作入力機器１３で各ボタンＢ０１〜Ｂ１１がクリックされると、表示装置１１１の表示内容が、リスト画面Ｉ０１から下表２の通りに変更される。
【００３５】
【表２】
2018055274.tif 000004
【００３６】
上表２において、新規作成ボタンＢ０１には、所見作成画面Ｉ０３の表示に切り替える機能が割り当てられ、設定変更ボタンＢ０３には、設定変更画面Ｉ１９の表示に切り替える機能が割り当てられる。他のボタンＢ０１〜Ｂ１１にも、上表２に記載の機能が割り当てられる。
【００３７】
所見リスト領域Ｒ０１には、既存の所見データ（即ち、記憶装置１９１に格納されている所見データ）がリスト形式で表示される。各所見データは、操作入力機器１３によるダブルクリックで開かれ、表示装置１１１に表示される。
【００３８】
＜２−２．所見作成画面＞
次に、図２Ｂを参照して、所見作成画面Ｉ０３について説明する。
図２Ｂにおいて、所見作成画面Ｉ０３は、ある身元不明者または患者（以下、身元不明者等という）の所見データを作成する際に用いられ、複数の永久歯状態入力欄Ｃ０１、複数の永久歯状態選択ボタンＢ１３、複数の画面切り替えタブＴ０１、デンタルチャート画面Ｉ０５、複数の乳歯状態入力欄Ｃ０３、複数の乳歯状態選択ボタンＢ１５、再生ボタンＢ１７および閉じるボタンＢ１９から構成される。
【００３９】
なお、所見作成画面Ｉ０３の中央部には、画面切り替えタブＴ０１のクリックにより、デンタルチャート画面Ｉ０５、顔貌写真画面Ｉ０９、口腔内写真画面Ｉ１１、義歯写真画面Ｉ１３、ノート画面Ｉ１５およびその他画面Ｉ１７のいずれかが選択的に表示される。
【００４０】
永久歯状態入力欄Ｃ０１は、歯牙（具体的には、永久歯）毎に設けられる。なお、以下の説明において、右とは、紙面奥から手前に向かって右を意味する。
【００４１】
所見作成画面Ｉ０３の右上には、口内の右上１番〜右上８番までの永久歯の状態入力欄Ｃ０１が上から下へと順番に配置される。所見作成画面Ｉ０３の右下には、口内の右下にある右下１番〜右下８番の永久歯の状態入力欄Ｃ０１が下から上へと順番に配置される。なお、所見作成画面Ｉ０３の左上および左下には、左上および左下にある複数の永久歯の状態入力欄Ｃ０１が順番に配置される。
【００４２】
なお、図２Ｂでは、図示の都合上、右上の永久歯状態入力欄Ｃ０１が破線で囲まれ、これらに一括で参照符号Ｃ０１が付されている。
【００４３】
各永久歯状態入力欄Ｃ０１には、音声認識結果に基づき生成された文字列（より具体的には、歯牙の状態）が入力可能になっている。なお、ここへの文字入力は、操作入力機器１３を構成するキーボードからの操作信号に基づいても良い。入力された文字列は、対応する永久歯状態入力欄Ｃ０１内に表示される。
【００４４】
なお、ある歯牙を音声等により選択中、対応する永久歯状態入力欄Ｃ０１の内部は特定色（例えば赤）でハイライトされる。図２Ｂの例では、左上Ｃ番の乳歯が選択中であるため、いずれの永久歯状態入力欄Ｃ０１もハイライトされていない。
【００４５】
状態選択ボタンＢ１３は、永久歯毎に設けられる。本実施形態では、各永久歯状態入力欄Ｃ０１の隣に、対応する永久歯向けの状態選択ボタンＢ１３が配置される。
【００４６】
なお、図２Ｂでは、図示の都合上、右上の永久歯向けの各状態選択ボタンＢ１３が破線で囲まれ、これらに一括で参照符号Ｂ１３が付されている。
【００４７】
各状態選択ボタンＢ１３には、対応する歯牙の状態入力画面Ｉ０７（図２Ｃを参照）を所見作成画面Ｉ０３にオーバーレイ表示する機能が割り当てられている。
【００４８】
ここで、図２Ｃを参照して、状態入力画面Ｉ０７について説明する。なお、図２Ｃには、左上１番の永久歯の状態入力画面Ｉ０７が例示される。
【００４９】
図２Ｃにおいて、各状態入力画面Ｉ０７は、入力ボックスＣ０５、クリアボタンＢ２１、複数の状態ボタンＢ２３および閉じるボタンＢ２５から構成される。
【００５０】
入力ボックスＣ０５には、歯牙の状態を示す文字列が入力される。
クリアボタンＢ２１には、入力ボックスＣ０５内の文字列をクリアする機能が割り当てられる。
【００５１】
複数の状態ボタンＢ２３には、歯牙の状態を示す文字列が個々に割り当てられる。これらの文字列としては、健全歯、欠損（歯槽窩あり）、インレー修復、アンレー修復等が例示される。ある状態ボタンＢ２３が操作入力機器１３でクリックされると、そのボタンＢ２３に割り当てられた歯牙の状態の文字列が、入力ボックスＣ０５に入力され表示される。
【００５２】
なお、図２Ｃでは、図示の都合上、全状態ボタンＢ２３が破線で囲まれ、これらに一括で参照符号Ｂ２３が付されている。
【００５３】
閉じるボタンＢ２５には、入力ボックスＣ０５に表示されている文字列を、所見作成画面Ｉ０３において対応する状態入力欄Ｃ０１に入力・表示させると共に、状態入力画面Ｉ０７のオーバーレイ表示を終了させる機能が割り当てられている。
【００５４】
再度、図２Ｂを参照する。
複数の画面切り替えタブＴ０１のそれぞれには、デンタルチャート画面Ｉ０５、顔貌写真画面Ｉ０９、口腔内写真画面Ｉ１１、義歯写真画面Ｉ１３、ノート画面Ｉ１５および名前その他画面Ｉ１７のいずれかが一つずつ割り当てられる。
【００５５】
ある画面切り替えタブＴ０１が操作入力機器１３でクリックされると、表示装置１１１の表示内容が、クリックされたタブＴ０１に割り当てられた画面（デンタルチャート画面Ｉ０５、顔貌写真画面Ｉ０９、口腔内写真画面Ｉ１１、義歯写真画面Ｉ１３、ノート画面Ｉ１５および名前その他画面Ｉ１７のいずれか）に切り替える。
【００５６】
デンタルチャート画面Ｉ０５には、永久歯および乳歯の歯牙列を表す画像が含まれる。図２Ｂの例では、上側の永久歯の歯牙列は、下方からの平面視したような模式的な歯牙の形状で表され、デンタルチャート画面Ｉ０５の上方に示される。また、下側の永久歯の歯牙列は、これを上面視したような模式的な形状で表され、上側の歯牙列の下方に示される。
【００５７】
上側の乳歯の歯牙列は、この歯牙列を下方からの平面視したような模式的な歯牙の形状で表され、上側の永久歯の歯牙列の内側に示される。下側の乳歯の歯牙列は、この歯牙列を上面視したような模式的な歯牙の形状で表され、下側の永久歯の歯牙列の内側に示される。これにより、デンタルチャート画面Ｉ０５のスペースが有効活用される。
【００５８】
なお、乳歯に関しては、初期状態ではグレイアウトされている。ある歯牙を選択中、対応する歯牙は特定色（例えば赤）の円で囲まれる。
【００５９】
乳歯状態入力欄Ｃ０３は、乳歯毎に設けられる。
口内の右上Ａ番〜右上Ｅ番の乳歯の状態入力欄Ｃ０３は、所見作成画面Ｉ０３において、右上の永久歯状態入力欄Ｃ０１と、右下の永久歯状態入力欄Ｃ０１との間に、上から下へと順番に配置される。右下の永久歯状態入力欄Ｃ０１の下方には、口内の右下Ａ番〜右下Ｅ番の乳歯の状態入力欄Ｃ０３が上から下へと順番に配置される。
【００６０】
左上，左下の各乳歯の状態入力欄Ｃ０３は、デンタルチャート画面Ｉ０５等を挟んで、右上，右下の各乳歯の状態入力欄Ｃ０３と横方向において対向するように配置される。
【００６１】
なお、図２Ｂでは、図示の都合上、左上の乳歯向けの複数の状態入力欄Ｃ０３が破線で囲まれ、これらに一括で参照符号Ｃ０３が付されている。
【００６２】
各乳歯状態入力欄Ｃ０３には、各永久歯状態入力欄Ｃ０１と同様に、音声認識結果または操作信号に基づく歯牙の状態が入力可能になっている。乳歯状態入力欄Ｃ０３に入力された歯牙の状態は、表示装置１１１の画面上に表示される。
【００６３】
なお、永久歯状態入力欄Ｃ０１の場合と同様、ある乳歯を選択中、対応する乳歯状態入力欄Ｃ０３の内部は特定色（例えば赤）でハイライトされる。図２Ｂの例では、左上Ｃ番の乳歯が選択中であることが示されている。
【００６４】
乳歯状態選択ボタンＢ１５は、乳歯毎に設けられる。本実施形態では、各乳歯状態入力欄Ｃ０３の隣に、対応する永久歯向けの状態選択ボタンＢ１３が配置される。
【００６５】
各状態選択ボタンＢ１５には、対応する歯牙の状態入力画面Ｉ０７（図２Ｃを参照）を所見作成画面Ｉ０３にオーバーレイ表示する機能が割り当てられている。
【００６６】
なお、乳歯の状態入力画面Ｉ０７は、永久歯の状態入力画面Ｉ０７と同様の構成を有するため、その説明を控える。また、図２Ｂでは、図示の都合上、左上の乳歯状態選択ボタンＢ１５が破線で囲まれ、これら状態選択ボタンに一括で参照符号Ｂ１５が付されている。
【００６７】
再生ボタンＢ１７には、ノート画面Ｉ１５で入力された文字列の読み上げを開始する機能が割り当てられる。
閉じるボタンＢ１９には、表示装置１１１の表示内容を前述のリスト画面Ｉ０１に戻す機能が割り当てられている。
【００６８】
ところで、前述の通り、画面切り替えタブＴ０１のクリックにより、表示装置１１１の表示内容は、デンタルチャート画面Ｉ０５だけでなく、顔貌写真画面Ｉ０９、口腔内写真画面Ｉ１１または義歯写真画面Ｉ１３にも切り替わる。
【００６９】
以下、図２Ｄを参照して、顔貌写真画面Ｉ０９、口腔内写真画面Ｉ１１および義歯写真画面Ｉ１３について説明する。
【００７０】
図２Ｄの上段、中段および下段には、顔貌写真画面Ｉ０９、口腔内写真画面Ｉ１１および義歯写真画面Ｉ１３が示される。
【００７１】
顔貌写真画面Ｉ０９、口腔内写真画面Ｉ１１および義歯写真画面Ｉ１３の中央領域Ｒ０３，Ｒ０５，Ｒ０７には、操作入力機器１３を用いたドラッグ＆ドロップにより、身元不明者等の顔貌写真、口腔内写真および義歯写真を貼り付けることが出来るようになっている。こうして貼り付けられた顔貌写真、口腔内写真および義歯写真は、所見データの一部を構成して、記憶装置１９１に格納される。
【００７２】
また、格納済みの顔貌写真、口腔内写真および義歯写真が操作入力機器１３でクリックされると、図２Ｅに示すような各写真の編集画面Ｉ１９が、所見作成画面Ｉ０３にオーバーレイ表示される。
【００７３】
図２Ｅにおいて、各編集画面Ｉ１９は、格納済の写真（顔貌写真、口腔内写真および義歯写真のいずれか）の表示領域Ｒ０９、閉じるボタンＢ２７、左回転ボタンＢ２９、元に戻すボタンＢ３１、右回転ボタンＢ３３および削除ボタンＢ３５から構成される。
【００７４】
閉じるボタンＢ２７には、編集画面Ｉ１９のオーバーレイ表示を終了させる機能が割り当てられる。
左回転ボタンＢ２９には、表示領域Ｒ０９に表示されている写真を反時計回りに９０°回転させる機能が割り当てられる。
【００７５】
元に戻すボタンＢ３１には、編集中の写真を初期状態（編集画面Ｉ１９の表示開始時点の状態）に戻す機能が割り当てられる。
右回転ボタンＢ３３には、表示領域Ｒ０９に表示されている写真を時計回りに９０°回転させる機能が割り当てられる。
【００７６】
ところで、前述の通り、画面切り替えタブＴ０１のクリックにより、表示装置１１１の表示内容は、デンタルチャート画面Ｉ０５だけでなく、ノート画面Ｉ１５にも切り替わる。
【００７７】
以下、図２Ｆを参照して、ノート画面Ｉ１５について説明する。
図２Ｆにおいて、ノート画面Ｉ１５は、ノート入力領域Ｒ１１と、音声コマンド表示領域Ｒ１３とから構成される。
【００７８】
ノート入力領域Ｒ１１には、基本的には、音声認識部１９７による音声認識結果を示す文字列が入力され表示される。このノート画面Ｉ１５は、主として、歯科医師による所見メモの記載に用いられる。よって、ノート入力領域Ｒ１１に入力・表示されるのは、典型的には、所見メモを表す文字列となる。
【００７９】
音声コマンド表示領域Ｒ１３には、少なくともノート画面Ｉ１５の表示中に、利用可能な音声コマンドが列挙され表示される。本所見作成装置１９では、下表３の１１種の音声コマンドが定義されるとする。
【００８０】
【表３】
2018055274.tif 000005
【００８１】
上表３において、音声コマンド「終わり」は、音声認識部１９７による音声認識結果をノート入力領域Ｒ１１への入力すること（即ち、ディクテーション入力）を終了させる機能が割り当てられている。音声コマンド「最初に戻る」は、ノート入力領域Ｒ１１におけるカーソルを、既に入力されている文字列の先頭に移動させる機能が割り当てられている。他の音声コマンドにも、上表３に記載の機能が割り当てられる。
【００８２】
ところで、前述の通り、画面切り替えタブＴ０１のクリックにより、表示装置１１１の表示内容は、デンタルチャート画面Ｉ０５だけでなく、名前その他画面Ｉ１７にも切り替わる。
【００８３】
以下、図２Ｇを参照して、名前その他画面Ｉ１７について説明する。
図２Ｇにおいて、名前その他画面Ｉ１７は、所見データに関する各種項目情報Ｐ０１を設定可能に構成される。本開示では、図２Ｇに示すように、事案名、検査日、検査医師、生死、性別、推定年齢、実年齢、発見年月日、発見場所および検査場所が設定可能になっている。表４には各項目の定義を示す。
【００８４】
【表４】
2018055274.tif 000006
【００８５】
上表４に記載の項目情報は、基本的に、操作入力機器１３からの操作情報に基づき入力あるいは設定される。
【００８６】
上記項目情報のうち、特に、検査医師は、後述の設定変更画面Ｉ１９で登録された医師をプルダウンメニューＭ０１から選択可能になっている。
また、検案場所は、後述の設定変更画面Ｉ１９で登録された検案場所が初期値として表示される。
事案名は、身元確認事業を特定する名称が、操作入力機器１３の操作情報に基づき入力される。
【００８７】
＜２−３．設定変更画面＞
前述の通り、図２Ａにおいて、設定変更ボタンＢ０３には、設定変更画面Ｉ１９の表示に切り替える機能が割り当てられる。以下、図３Ａを参照して、設定変更画面Ｉ１９の構成について説明する。
【００８８】
設定変更画面Ｉ１９は、各歯牙の読み、および、入力すべき歯牙の状態を設定するために用いられる。設定変更画面Ｉ１９はさらに、名前その他画面で選択可能な医師名と、検案場所の初期値とを設定するために用いられる。そのために、上記の設定変更画面Ｉ１９は、デンタルチャート領域Ｒ１５と、歯牙の読みリスト領域Ｒ１７と、歯牙の状態リスト領域Ｒ１９と、検査医師リスト領域Ｒ２１と、検案場所の入力領域Ｒ２３と、から構成される。
【００８９】
デンタルチャート領域Ｒ１５は、設定変更画面Ｉ１９の右端の領域であって、歯牙列と、各歯牙を特定する情報とが操作者に視認可能に構成される。
【００９０】
歯牙の読みリスト領域Ｒ１７は、デンタルチャート領域Ｒ１５の左隣りの領域であって、各歯牙を音声で特定する為の読みが、歯牙毎に設定され表示される。なお、詳細は後述するが、各歯牙の読みは予め定められた区切り記号を用いることで、複数通り設定可能になっている。
【００９１】
歯牙の状態リスト領域Ｒ１９は、歯牙の読みリスト領域Ｒ１７の右隣りの領域である。この歯牙の状態リスト領域Ｒ１９には、歯牙の状態毎に設定ボタンＢ３７が配置される。図示の都合上、図３Ａでは、歯牙の状態リスト領域Ｒ１９の右上の設定ボタンであって、歯牙の状態「健全」の設定ボタンに、参照符号Ｂ３７が付されている。
【００９２】
各設定ボタンＢ３７には、対応する歯牙の状態の編集画面Ｉ２１を設定変更画面Ｉ１９にオーバーレイ表示する機能が割り当てられている。
【００９３】
ここで、図３Ｂを参照して、編集画面Ｉ２１について説明する。なお、図３Ｂには、歯牙の状態「健全」の編集画面Ｉ２１が例示される。
【００９４】
図３Ｂにおいて、各編集画面Ｉ２１は、名称入力ボックスＣ０７と、読み入力ボックスＣ０９と、色ボタンＢ３９と、歯牙の表現ボタンＢ４１と、ＯＫボタンＢ４３と、キャンセルボタンＢ４５とから構成される。
【００９５】
名称入力ボックスＣ０７には、歯牙の状態の名称を示す文字列が入力され表示される。
読み入力ボックスＣ０９には、上記名称入力ボックスＣ０７に入力された文字列の読みが入力され表示される。
【００９６】
色ボタンＢ３９には、対応する設定ボタンＢ３７の色を設定する機能が割り当てられる。この色ボタンＢ３９がクリックされると、例えば、カラーチャート（図示せず）がさらにオーバーレイ表示される。操作入力機器１３により操作された色が設定ボタンＢ３７の色として設定される。
【００９７】
歯牙の表現ボタンＢ４１には、デンタルチャート画像Ｉ０５における歯牙の状態の表現を設定する機能が割り当てられる。この歯牙の表現ボタンＢ４１がクリックされると、図３Ｃに示すような歯牙の表現画像の選択画面Ｉ２３がさらにオーバーレイ表示される。
【００９８】
図３Ｃにおいて、選択画面Ｉ２３には、予め準備されかつ互いに異なる複数通り（図示は１４通り）の歯牙の表現手法を表すサンプル画像Ｇ０１が選択可能に表示される。なお、１番〜３番の永久歯やＡ番〜Ｃ番の乳歯のように咬合面が無い歯牙に対し、咬合面が有る歯牙の表現手法を指定不能である。
【００９９】
再度、図３Ｂを参照する。
ＯＫボタンＢ４３には、編集画面Ｉ２１で変更された内容を適用して、編集画面Ｉ２１のオーバーレイ表示を終了させる機能が割り当てられる。
キャンセルボタンＢ４５には、編集画面Ｉ２１で変更された内容を適用する事無く破棄して、編集画面Ｉ２１のオーバーレイ表示を終了させる機能が割り当てられる。
【０１００】
ここで、再度、図３Ａを参照する。
検査医師リスト領域Ｒ２１は、歯牙の状態リスト領域Ｒ１９の左隣りに配置される。この検査医師リスト領域Ｒ２１には、検査医師の名前が追加または削除される。
検案場所の入力領域Ｒ２３は、検査医師リストの下方に配置される。この検案場所の入力領域Ｒ２３には、新規作成される所見データの検案場所の初期値が記入される。
【０１０１】
＜２−４．検索画面＞
前述の通り、図２Ａにおいて、検索ボタンＢ０５には、検索画面Ｉ２５の表示に切り替える機能が割り当てられる。以下、図４Ａを参照して、検索画面Ｉ２５の構成について説明する。
【０１０２】
検索画面Ｉ２５は、記憶装置１９１に格納された既存の所見データの中から、操作者が操作入力機器１３を用いて指定した条件を含むものを検索するために用いられる。そのために、検索画面Ｉ２５は、検索条件入力領域Ｒ２５と、検索結果出力領域Ｒ２７と、から構成される。
【０１０３】
検索条件入力領域Ｒ２５は、検索画面Ｉ２５の概ね左半分の領域である。この検索条件入力領域Ｒ２５には、各種検索条件が入力され表示される。本開示では、所見作成画面Ｉ０３で入力・設定可能な項目が検索条件として入力・表示可能に構成されている。
【０１０４】
検索結果出力領域Ｒ２７には、検索条件入力領域Ｒ２５に配置される検索ボタンＢ４７の操作に応答して、検索結果が表示される領域である。
【０１０５】
＜２−５．出力画面＞
前述の通り、図２Ａにおいて、出力ボタンＢ０７には、出力画面Ｉ２７の表示に切り替える機能が割り当てられる。以下、図５Ａを参照して、出力画面Ｉ２７の構成について説明する。
【０１０６】
出力画面Ｉ２７は、既存の所見データを指定された形式で出力するために用いられ、主に、出力先入力領域Ｒ２９と、出力形式選択ボタンＢ５１と、文字コード選択ボタンＢ５３と、閉じるボタンＢ５５と、出力ボタンＢ５７と、から構成される。
【０１０７】
出力先入力領域Ｒ２９は、既存の所見データの出力先が、操作情報に基づき入力される。なお、出力先入力領域Ｒ２９の隣に配置される参照ボタンＢ４７のクリックにより、出力先入力領域Ｒ２９を選択・指定が可能なダイアログがオーバーレイ表示される。
【０１０８】
出力形式選択ボタンＢ５１は、操作入力機器１３の操作により、所見データの出力形式を選択するために用いられる。本開示では、所定のワードプロセッサの形式と、ｃｓｖ（ｃｏｍｍａ−ｓｅｐａｒａｔｅｄ  ｖａｌｕｅｓ）形式との二者択一になっている。
【０１０９】
文字コード選択ボタンＢ５３は、ｃｓｖ形式が選択された場合に使用され、操作入力機器１３の操作により、文字コードと、改行コードとを選択するために用いられる。
【０１１０】
閉じるボタンＢ５５は、出力画面Ｉ２７のオーバーレイ表示を終了させる機能が割り当てられている。
【０１１１】
出力ボタンＢ５７は、操作入力機器１３の操作により、本出力画面Ｉ２７で指定された出力先に指定した出力形式でファイルを出力する際に用いられる。
【０１１２】
＜２−６．データ操作画面＞
前述の通り、図２Ａにおいて、データ操作ボタンＢ０９には、データ操作画面Ｉ２９の表示に切り替える機能が割り当てられる。以下、図６Ａを参照して、データ操作画面Ｉ２９の構成について説明する。
【０１１３】
データ操作画面Ｉ２９は、任意の既存の所見データの削除、バックアップの作成、および作成されたバックアップから所見データの復元に用いられる。そのために、データ操作画面Ｉ２９は、既存所見の削除ボタンＢ５９と、バックアップ作成ボタンＢ６１と、バックアップ復元ボタンＢ６３と、閉じるボタンＢ６５とから構成される。
【０１１４】
既存所見の削除ボタンＢ５９には、所見削除画面Ｉ３１の表示に切り替える機能が割り当てられる。所見削除画面Ｉ３１は、図６Ｂに示すように、所見リスト領域Ｒ３１と、削除ボタンＢ６７と、閉じるボタンＢ６９とから構成される。
【０１１５】
所見リスト領域Ｒ３１には、削除可能な所見データが列挙される共に、操作入力機器１３の操作により削除対象となる所見データが選択可能に構成される。
【０１１６】
削除ボタンＢ６７には、選択された所見データを削除する機能が割り当てられる。
【０１１７】
閉じるボタンＢ６９には、所見削除画面Ｉ３１の表示をデータ操作画面Ｉ２９に戻す機能が割り当てられる。
【０１１８】
再度、図６Ａを参照する。バックアップ作成ボタンＢ６１には、既存の所見データのバックアップデータを作成する画面Ｉ３３の表示に切り替える機能が割り当てられる。画面Ｉ３３は、図６Ｃに示すように、出力先入力領域Ｒ３３と、閉じるボタンＢ７１と、作成ボタンＢ７３と、から構成される。
【０１１９】
出力先入力領域Ｒ３３は、作成すべきバックアップデータの出力先が、操作情報に基づき入力される。なお、出力先入力領域Ｒ３３の隣に配置される参照ボタンＢ７５のクリックにより、出力先入力領域Ｒ３３を選択・指定が可能なダイアログ（図示せず）がオーバーレイ表示される。
【０１２０】
閉じるボタンＢ７１は、画面Ｉ３３の表示を終了させて、データ操作画面Ｉ２９の表示に戻る機能が割り当てられている。
【０１２１】
作成ボタンＢ７３は、操作入力機器１３の操作により、本画面Ｉ３３で指定された出力先に指定した出力形式でバックアップデータを出力する際に用いられる。
【０１２２】
再度、図６Ａを参照する。バックアップ復元ボタンＢ６３には、バックアップデータを既存の所見データとして復元する画面Ｉ３５のオーバーレイ表示に切り替える機能が割り当てられる。画面Ｉ３５は、図６Ｄに示すように、バックアップフォルダ指定領域Ｒ３５と、閉じるボタンＢ７７と、復元ボタンＢ７９と、から構成される。
【０１２３】
バックアップフォルダ指定領域Ｒ３５は、バックアップデータの格納場所が、操作情報に基づき入力される。なお、バックアップフォルダ指定領域Ｒ３５の隣に配置される参照ボタンＢ８１のクリックにより、バックアップフォルダ指定領域Ｒ３５を選択・指定が可能なダイアログ（図示せず）がオーバーレイ表示される。
【０１２４】
閉じるボタンＢ７７は、画面Ｉ３５の表示を終了させて、データ操作画面Ｉ２９の表示に戻る機能が割り当てられている。
【０１２５】
復元ボタンＢ７９は、操作入力機器１３の操作により、本画面Ｉ３５で指定された格納場所のバックアップデータを所見データに復元する際に用いられる。
【０１２６】
＜３．所見作成装置の処理＞
次に、図７Ａ〜図７Ｂを参照して、所見作成装置１９の処理を詳説する。
両プログラムＰ１，Ｐ３の起動のために、操作者が所定の操作を行うと、プロセッサ１９５は、音声認識部１９７として機能し、ＯＮに設定された音声入力機器１１から継続的に出力されてくる音声信号に対し周知の小規模単語音声認識処理を常時行って、音声認識結果（即ち、文字データ）を、ワーキングメモリ１９３を通じて、所見作成部１９９に渡す（図７ＡのステップＳ００１）。
【０１２７】
また、プロセッサ１９５は、所見作成部１９９としても機能し、起動直後、まずは、図２Ａに示すリスト画面Ｉ０１を生成し、表示装置１１１に表示し、音声認識に使用する辞書を、小語彙単語音声認識辞書（リスト画面用）Ｄ３に切り替える（ステップＳ００３）。
【０１２８】
次に、所見作成部１９９は、新規作成ボタンＢ０１が操作されたか否かを判断する（ステップＳ００５）。ＮＯと判断すると、処理は、後述のステップＳ００７に遷移する。
【０１２９】
それに対し、ステップＳ００５でＹＥＳと判断すると、所見作成部１９９は、新規の所見データを作成するために、所見作成画面Ｉ０３を生成し、表示装置１１１の表示内容をリスト画面Ｉ０１から所見作成画面Ｉ０３へと切り替えて、所見作成画面Ｉ０３を表示させる（ステップＳ００７）。この時、所見作成画面Ｉ０３の中央部分には、デンタルチャート画面Ｉ０５が表示され、小語彙単語音声認識で使用する辞書が小語彙単語音声認識辞書（デンタルチャート用）Ｄ５に切り替わる。
【０１３０】
ここで、デンタルチャート画面Ｉ０５には、操作者（例えば歯科医師）が操作入力機器を操作して文字入力することも可能である。また、操作者が予め定められた音声コマンドを表す音声を音声入力機器１１に向けて発話することで、デンタルチャート画面Ｉ０５には、音声認識部１９７による小語彙単語音声認識結果に基づき、歯牙の状態を文字で入力することも可能になっている。換言すると、デンタルチャート画面Ｉ０５は、大語彙連続音声認識の結果に基づく文字入力が不能な第二画面の一例である。
【０１３１】
そのため、例えば、所見作成部１９９は、リスト画面Ｉ０１からデンタルチャート画面Ｉ０５へと表示を切り替える過程で、図８Ａに示すように、音声入力機器１１の入力をＯＮに設定するための設定ボタンＢ８３を操作者にクリックするよう促す。
【０１３２】
その後、所見作成部１９９は、所見データの作成を行う（ステップＳ００９）。
以下、図７Ｂを参照して、ステップＳ００９の詳細な処理について説明する。
【０１３３】
操作者は、操作入力機器１３により画面切り替えタブＴ０１を操作して、デンタルチャート画面Ｉ０５を選択した後（ステップＳ１００）、例えば、自身の手指で身元不明者等を開口し、口腔内を観視しながら、状態入力の対象となる歯牙を特定する音声コマンドを音声入力機器１１に向かって発話する。音声入力機器１１は、歯牙を特定する音声コマンドが入力されると、これを表す音声信号を音声認識部１９７に出力する。
【０１３４】
音声認識部１９７は、デンタルチャート画面Ｉ０５が表示装置１１１に表示中、入力音声信号に対し、小語彙単語音声認識処理を実施して、歯牙を特定する音声認識の結果（単語）を所見作成部１９９に渡す。
【０１３５】
所見作成部１９９は、歯牙を特定する音声認識結果を受け取ると（ステップＳ１０１）、図８Ｂに示すように、デンタルチャート画面Ｉ０５において対象の歯牙に所定色の○で囲むと共に、対象の歯牙の状態入力欄Ｃ０１，Ｃ０３を選択し、その内部を特定色でハイライトする（ステップＳ１０３）。図８Ｂでは、音声認識結果が「みぎうえいちばん」で、状態入力欄Ｃ０１，Ｃ０３は永久歯状態入力欄Ｃ０１の場合が例示されている。
【０１３６】
操作者は、身元不明者等の口腔内を診断しながら歯牙を特定する音声コマンドを発話した後、その歯牙の状態を表す音声コマンドを音声入力機器１１に向かって発話する。音声入力機器１１は、歯牙の状態を表す音声が入力されると、これを表す音声信号を音声認識部１９７に出力する。
【０１３７】
音声認識部１９７は、入力音声データに対し小語彙単語音声認識処理を実施して、歯牙の状態を表す音声認識の結果を所見作成部１９９に渡す。
【０１３８】
所見作成部１９９は、ステップＳ１０３の後に、歯牙の状態を表す音声認識結果を受け取ると（ステップＳ１０５）、図８Ｃに示すように、ステップＳ１０１で選択した状態入力欄Ｃ０１，Ｃ０３に、歯牙の状態を文字で入力し表示する（ステップＳ１０７）。図８Ｃでは、音声認識結果が「えんしん」の場合が例示されている。
【０１３９】
この時、受け取った歯牙の状態に、歯牙の表現画像が予め割り当てられている場合（ステップＳ１０９でＹＥＳ）、所見作成部１９９は、図８Ｄに示すように、デンタルチャート画面Ｉ０５において○で囲まれた歯牙の表現を予め割り当てられたものに変更する（ステップＳ１１１）。
操作者は、状態入力の対象となる歯牙を特定する音声およびその歯牙の状態を音声入力機器１１に向かって繰り返し発話する。そのたびに、所見作成部１９９は、ステップＳ１０１〜Ｓ１１１を実行する。そして、操作者は、身元不明者の口腔内の診断が完了すると、デンタルチャート画面Ｉ０５を閉じるために予め定められた音声コマンド「おわり」と音声入力機器１１に向かって発話する。その結果、所見作成部１９９には、音声認識部１９７から、音声コマンド「終わり」を表す音声認識結果が渡される。
【０１４０】
ステップＳ１０９でＮＯと判断した場合、または、ステップＳ１１１の次に、所見作成部１９９は、閉じるボタンＢ１９が操作されたか否かを判断する（ステップＳ１１４）。ＹＥＳと判断した場合、所見作成部１９９は、ステップＳ００９の処理（図７Ａ〜図７Ｂの処理）を抜けて、図７ＡのステップＳ０１７を行う。それに対し、ステップＳ１１４でＮＯと判断した場合、所見作成部１９９は、図７ＢのステップＳ１００に戻る。
【０１４１】
なお、操作者が入力済の歯牙の状態を修正したい場合がある。この場合、操作者は、状態入力の対象となる歯牙を特定する音声およびその歯牙の状態を消去するための音声コマンド「クリア」を音声入力機器１１に向かって発話する。
【０１４２】
所見作成部１９９は、音声コマンド「クリア」を受け取ると、図８Ｄに示すように、ステップＳ１０１で選択した状態入力欄Ｃ０１，Ｃ０３に入力済の歯牙の状態をクリアする。なお、状態入力欄Ｃ０１，Ｃ０３には発話した順に状態が挿入されるが、デンタルチャート画面Ｉ０５における歯牙の表現画像は最後に入力されたものが優先される。
【０１４３】
また、操作者が状態入力欄Ｃ０１，Ｃ０３に入力した歯牙の状態を確認したい場合、操作入力機器１３を操作して、歯牙を特定した後、再生ボタンＢ１７を操作する。これに応答して、所見作成部１９９は、指定された歯牙の状態の読み上げ処理を行って、歯牙の状態を表す音声データを、音声出力装置１１３から音声出力させる。
【０１４４】
上記の通り、第二画面は、大語彙連続音声認識の結果に基づく文字入力が不能な画面であり、その一例として、デンタルチャート画面Ｉ０５が挙げられた。本開示では、画面切り替えタブＴ０１で切り替え可能なデンタルチャート画面Ｉ０５、顔貌写真画面Ｉ０９、口腔内写真画面Ｉ１１、義歯写真画面Ｉ１３、ノート画面Ｉ１５および名前その他画面Ｉ１７のうち、ノート画面Ｉ１５以外が第二画面として予め定義される。
【０１４５】
操作者（歯科医師やその補助者）は、身元不明者等の顔貌写真、口腔内写真および義歯写真を撮影することがある。この場合、これら画像データは、データ読取装置１５および通信装置１７を介して、所見作成装置１９に転送される。
【０１４６】
この場合、操作者は、画面切り替えタブＴ０１を操作して、顔貌写真画面Ｉ０９、口腔内写真画面Ｉ１１および義歯写真画面Ｉ１３を表示させて、それぞれの中央領域Ｒ０３，Ｒ０５，Ｒ０７（図２Ｄを参照）にドラッグアンドドロップにより貼り付ける。所見作成装置１９において、所見作成部１９９は、ステップＳ１００でＮＯの場合、顔貌写真画面Ｉ０９、口腔内写真画面Ｉ１１および義歯写真画面Ｉ１３のいずれかが選択されたか否かを判断し（図７ＣのステップＳ１１５）、ＹＥＳと判断すれば、顔貌写真画面Ｉ０９、口腔内写真画面Ｉ１１および義歯写真画面Ｉ１３を表示させると共に、使用する辞書を小語彙単語音声認識辞書（各写真画面用）Ｄ７に切り替える（ステップＳ１１６）。その後、所見作成部１９９は、操作入力機器１３の操作信号に従って、顔貌写真、口腔内写真および義歯写真の画像データを記憶装置１９１に格納する（ステップＳ１１７）。この後、所見作成部１９９は、図７ＢのステップＳ１００に戻る。
【０１４７】
なお、身元不明者等の顔貌写真、口腔内写真および義歯写真を撮影できなければ、当然、顔貌写真画面Ｉ０９、口腔内写真画面Ｉ１１および義歯写真画面Ｉ１３への貼り付けは行われない。
【０１４８】
また、操作者は、所見メモを記録したい場合、入力操作機器１３で画面切り替えタブＴ０１を操作して、ノート画面Ｉ１５を表示させる。その後、操作者は、記録したい所見メモを表す音声を音声入力機器１１に向けて発話し、最後に、音声コマンド「終わり」と発話する。この間、所見作成装置１９において、所見作成部１９９は、ステップＳ１１５でＮＯと判断した後、ノート画面Ｉ１５が選択されたか否かを判断し（ステップＳ１１９）、ＹＥＳと判断すると、所見作成部１９９は、第一画面の他の一例としてのノート画面Ｉ１５を表示させ、使用する辞書を小語彙単語音声認識辞書（ノート用）Ｄ９に切り替える（ステップＳ１２１）。
【０１４９】
次に、所見作成部１９９は、他画面から遷移してノート画面Ｉ１５に切り替わったのか、音声認識部１９７から音声コマンド「ノート」を受け取ったか否かを判断する（ステップＳ１２２）。
【０１５０】
ステップＳ１２２でＮＯと判断すると、所見作成部１９９は、図７ＢのステップＳ１００を行う。
【０１５１】
それに対し、ステップＳ１２２でＹＥＳと判断すると、音声認識部１９７は、大規模連続音声認識プログラムＰ１１を大規模連続音声認識辞書Ｄ１を使用しつつ実行し始め、第一画面としてのノート画面Ｉ１５を表示中、音声入力機器１３からの入力音声信号に対し、大語彙連続音声認識を行って、その結果を所見作成部１９９に渡す。
【０１５２】
所見作成部１９９は、音声認識部１９７から受け取る大語彙連続音声認識結果、即ち、所見メモを表す文字を、ノート画面Ｉ１５のノート入力領域Ｒ１１に入力し表示させる（ステップＳ１２３）。所見作成部１９９は、音声コマンド「終わり」を受け取ると（ステップＳ１２５でＹＥＳ）、ノート入力領域Ｒ１１の内容を記憶装置１９１に保存して（ステップＳ１２７）、表示装置１１１の表示内容を、ノート画面Ｉ１５から、第二画面の一例としての顔貌写真画面Ｉ０９に切り替えることで、大語彙連続音声認識の実行を終了してノート画面Ｉ１５への所謂ディクテーションによる文字入力を不能する（ステップＳ１２９）。その後、所見作成部１９９は、図７ＢのステップＳ１００に戻る。
【０１５３】
なお、所見メモの作成最中、操作者は、音声コマンド表示領域Ｒ１３に記載の音声コマンドを使用しながら所見メモを修正可能である。
【０１５４】
また、ノート画面Ｉ１５の表示中、操作者が、操作入力機器１３を操作して再生ボタンＢ１７を操作する。これに応答して、所見作成部１９９は、ノート入力領域Ｒ１１に記載の所見メモの読み上げ処理を行って、所見メモを表す音声データを、音声出力装置１１３から音声出力させる。
【０１５５】
また、操作者は、事案名や検査日等を設定したい場合、入力操作機器１３で画面切り替えタブＴ０１を操作して、名前その他画面Ｉ１７を表示させる。その後、操作者は、入力操作機器１３を操作して、事案名、検査日その他必要事項を入力する。この間、所見作成部１９９は、名前その他画面Ｉ１７が選択されると（図７ＤのステップＳ１３１）、名前その他画面Ｉ１７を表示すると共に、使用する辞書を小語彙単語音声認識辞書（名前その他画面用）Ｄ１１に切り替える（ステップＳ１３３）、受け取った操作情報に基づき、必要事項を名前その他画面Ｉ１７に入力し表示させる（ステップＳ１３５）。ステップＳ１３５の次、または、ステップＳ１３１でＮＯと判断した場合、所見作成部１９９は、図７ＢのステップＳ１００に戻る。
【０１５６】
上記のようにして作成された所見データは、少なくとも、デンタルチャートを含む。また、場合によっては、所見データは、顔貌写真、口腔内写真および義歯写真、所見メモ、ならびに事業所名等を含む。このような所見データは、記憶装置１９１に格納される。
【０１５７】
ここで、再度図７Ａを参照する。ステップＳ００５でＮＯの場合、ステップＳ０１１が行われる。ステップＳ０１１において、所見作成部１９９は、設定変更ボタンＢ０３が操作されたか否かを判断する。
【０１５８】
ステップＳ０１１でＹＥＳと判断した場合、所見作成部１９９は、各種設定を変更するために、設定変更画面Ｉ１９を生成し、表示装置１１１の表示内容をリスト画面Ｉ０１から設定変更画面Ｉ１９へと切り替えて、設定変更画面Ｉ１９を表示させる（ステップＳ０１３）。その後、所見作成部１９９は、各種設定を変更する（ステップＳ０１５）。
【０１５９】
操作者は、例えば、歯牙列における各歯牙の読みを個々に変更する場合には、歯牙の読みリストＲ１７において、変更したい歯牙の読みを、操作入力機器１３でクリックする。その後、操作者は、操作入力機器１３を操作して、対象となる歯牙の読みをひらがなで入力する（図９Ａを参照）。ここで、複数通りの読みを設定したい場合、操作者は、複数の読みをひらがなで入力すると共に区切り記号（例えば、｜）で、各読みを区切る。
また、操作者は、歯牙の状態の編集画面Ｉ２１への入力も上述と同様である。
上記のような操作に応答して、所見作成部１９９は、歯牙の読みおよび歯牙の状態の読みを変更する。
【０１６０】
また、操作者は、歯科医師の名前を登録する場合、図９Ｂに示すように、検査医師リスト領域Ｒ２１に配置される名前入力ボックスＣ１１に、操作入力機器１３を操作して歯科医師名を入力する。その後、操作者は、検査医師リスト領域Ｒ２１に配置される追加ボタンＢ８５を、操作入力機器１３でクリックする。このような操作に応答して、所見作成部１９９は、歯科医師リスト領域Ｒ２１に新しい歯科医師を追加する。
【０１６１】
ステップＳ００９，Ｓ０１５の次、または、ステップＳ０１１でＮＯの場合、所見作成部１９９は、プログラムＰ１，Ｐ３の実行を終了するか否かを判断する（ステップＳ０１７）。ＮＯと判断した場合、所見作成部１９９は、ステップＳ００３に戻るが、ＹＥＳと判断した場合、プログラムＰ１，Ｐ３の実行を終了する。
【０１６２】
なお、ステップＳ０１１でＮＯの場合、図７Ａには図示しないが、必要に応じて、既存の所見データの検索や、出力、データ操作等が実施されても良い（図４Ａ、図５Ａ、図６Ａを参照）。
【０１６３】
＜３．所見作成装置の作用・効果＞
上記の通り、本所見作成装置１９によれば、所見作成画面Ｉ０３は、複数の画面切り替えタブＴ０１の操作により、デンタルチャート画面Ｉ０５、顔貌写真画面Ｉ０９、口腔内写真画面Ｉ１１、義歯写真画面Ｉ１３、ノート画面Ｉ１５およびその他画面Ｉ１７のいずれかが選択的に表示される。ここで、ノート画面Ｉ１５は第一画面と、それ以外のデンタルチャート画面Ｉ０５および顔貌写真画面Ｉ０９等は第二画面と定義される。第一画面の表示中、ステップＳ１２３を実行中、音声認識部１９７からの大語彙連続音声認識の結果に基づき、所見メモの文字で入力することが許可される。それに対し、第二画面では、基本的に、大語彙連続音声認識結果に基づく文字入力が不能となり、小語彙単語音声認識の結果に基づき文字が入力される。
【０１６４】
所見作成部１９９は、ノート画面Ｉ１５の表示中、音声コマンド「終わり」に応答して、表示装置１１１の表示内容を、第二画面である顔貌写真画面Ｉ０９等に切り替えると共に、大語彙連続音声認識および辞書Ｄ１の使用を終了（禁止）する。
【０１６５】
本所見作成装置１９では、ノート画面Ｉ１５の表示中であって、ステップＳ１２３を実行中、音声認識部１９７は、音声入力機器１１からの音声信号に対し大規模連続音声認識を行うため、所見作成部１９９は、ノート画面Ｉ１５（第一画面）から第二画面への自動切り替えると共に、大規模連続音声認識の実行を終了させて小規模単語音声認識のみを実行した状態に切り替えないと、表示画面上で不必要な文字入力が行われる場合がある。しかし、本所見作成装置１９によれば、ノート画面Ｉ１５（即ち、第一画面）は、音声コマンド「終わり」の入力に応答して、顔貌写真画面Ｉ０９等、大規模連続音声認識が不能な第二画面に切り替わるため、上記のような不必要な文字入力が行われることが無くなる。
【０１６６】
このように、本所見作成装置１９では、ノート画面Ｉ１５の表示中、完全ハンズフリーで所見メモの作成を可能とすべく、大規模連続音声認識から小規模単語音声認識への切り替えと、第一画面から第二画面への切り替えとを行っている。これによって、完全ハンズフリーによる所見メモが作成可能であると共に、操作者が使いやすいユーザインタフェイスを備えた所見作成装置１９、および歯科所見を作成するためのプログラムを提供することが出来る。
【０１６７】
また、本所見作成装置１９によれば、上記の通り、完全ハンズフリーでデンタルチャートおよび所見メモの作成が可能となるため、歯科医師は、補助者無しでデンタルチャートを作成することが可能となる。
【０１６８】
また、本開示によれば、歯牙や歯列の読み等の変更（辞書のカスタマイズ）により、通常の診断時のような自然な発話でコマンド入力できるようになる。
【０１６９】
＜４．付記＞
なお、上記実施形態では、好ましい形態として、音声コマンド「終わり」をトリガーとして、第一画面から第二画面への切り替えが実施されていた。しかし、これに限らず、操作者が、複数の画面切り替えタブＴ０１を操作入力機器１３を操作し、これによって生成される操作信号をトリガーとして、第一画面から第二画面への切り替えが実施されても構わない。
【０１７０】
上記実施形態では、記憶装置１９１に、音声認識プログラムＰ１と、音声入力デンタルチャートプログラムＰ３とが格納されるとして説明した。しかし、これに限らず、各プログラムＰ１，Ｐ３は、コンピュータにより読み取り可能な記録媒体（例えばＤＶＤ等）に格納されて提供されても構わない。他にも、各種端末装置がダウンロードできるように、プログラムはサーバ装置に格納されていても良い。
【０１７１】
さらに他にも、音声認識プログラムＰ１と、音声入力デンタルチャートプログラムＰ３とは個別的に、記録媒体に格納されて提供されても構わないし、各種端末装置が個別的にダウンロードできるようにサーバ装置に格納されていても良い。
【０１７２】
また、デンタルチャート画面Ｉ０５には、上下方向から平面視した歯牙列画像が含まれていた。しかし、これに限らず、デンタルチャート画面Ｉ０５には、前方から平面視した歯牙列画像が含まれていても良いし、上下方向から平面視した歯牙列画像および前方から平面視した歯牙列画像はユーザ設定に応じて切り替えられても構わない。
【産業上の利用可能性】
【０１７３】
本開示の所見作成装置、歯科所見を作成するためのプログラムおよびそのプログラムを記録した記録媒体は、歯科所見の記録に好適なユーザインタフェイスを備えており、パーソナルコンピュータ等に実装されるのに好適である。
【符号の説明】
【０１７４】
１９  所見作成装置
１９１  記憶装置
１９７  音声認識部
１９９  所見作成部
Ｐ１  音声認識プログラム
Ｐ３  音声入力デンタルチャートプログラム
【図１】
2018055274.tif 000007
【図２Ａ】
2018055274.tif 000008
【図２Ｂ】
2018055274.tif 000009
【図２Ｃ】
2018055274.tif 000010
【図２Ｄ】
2018055274.tif 000011
【図２Ｅ】
2018055274.tif 000012
【図２Ｆ】
2018055274.tif 000013
【図２Ｇ】
2018055274.tif 000014
【図３Ａ】
2018055274.tif 000015
【図３Ｂ】
2018055274.tif 000016
【図３Ｃ】
2018055274.tif 000017
【図４Ａ】
2018055274.tif 000018
【図５Ａ】
2018055274.tif 000019
【図６Ａ】
2018055274.tif 000020
【図６Ｂ】
2018055274.tif 000021
【図６Ｃ】
2018055274.tif 000022
【図６Ｄ】
2018055274.tif 000023
【図７Ａ】
2018055274.tif 000024
【図７Ｂ】
2018055274.tif 000025
【図７Ｃ】
2018055274.tif 000026
【図７Ｄ】
2018055274.tif 000027
【図８Ａ】
2018055274.tif 000028
【図８Ｂ】
2018055274.tif 000029
【図８Ｃ】
2018055274.tif 000030
【図８Ｄ】
2018055274.tif 000031
【図９Ａ】
2018055274.tif 000032
【図９Ｂ】
2018055274.tif 000033